(57)【要約】【課題】化粧鏡を使用者側へ近づけて使用することができる化粧鏡、及び化粧鏡を使用者側へ近づけて使用することができ、且つ化粧鏡を使用中であっても容易に収納物を取り出せるミラーキャビネット及び洗面化粧台を提供する。【解決手段】前面に開口を備えた収納部１０と、前面に鏡を備える鏡面パネル２０と、上記収納部と上記鏡面パネルとが成す角度を保持しつつ該鏡面パネルを所定の方向にスライドさせながら且つその前後方向に進退させて前記鏡面パネルが前記収納部の開口を開閉するように該鏡面パネルを前記収納部に対して保持するように開閉方向に平行な両側面に設置された一対の保持機構４０とを備える。【選択図】  図２
2005103049.tif 000002
【特許請求の範囲】
【請求項１】
前面に開口を備えた収納部と、該収納部の開口を開閉し前面に鏡を備える鏡面パネルと、上記収納部と上記鏡面パネルとが成す角度を保持しつつ該鏡面パネルを所定の方向にスライドさせながら且つその前後方向に進退させて該鏡面パネルを前記収納部に対して保持するように開閉方向に平行な両側面に設置された一対の保持機構とを備えることを特徴とするミラーキャビネット。
【請求項２】
前記保持機構は、前記鏡面パネルを、前記収納部に対して全開状態と全閉状態との間の任意の位置で駐止可能に保持することを特徴とする請求項１に記載のミラーキャビネット。
【請求項３】
前記保持機構は、
収納部に固設された収納部側部材と、一端が夫々前記収納部側部材に枢結される一対のアーム部材と、これらアーム部材の他端が夫々枢結される鏡面パネル側部材とからなり、前記収納部側部材に対して前記アーム部材を揺動させ前記鏡面パネルを移動させる平行リンクと、
一端が前記収納部の開方向の側部に固定されるとともに、他端が前記アーム部材の一方に固定され、前記鏡面パネルの開方向の移動を付勢し、且つ閉方向の移動を減勢する弾性体と、
を備えることを特徴とする請求項１に記載のミラーキャビネット。
【請求項４】
１又は２以上の棚を備え、該棚には前記鏡面パネルの前記収納部に対する閉状態において、前記平行リンクの一対のアーム部材を配置する空間を形成したことを特徴とする請求項３に記載のミラーキャビネット。
【請求項５】
前面にスリットを有し前記収納部側部材を収納可能な収納ボックスが前記収納部の側面に取り付けられ、前記鏡面パネルの開状態では該収納ボックスの前記スリットを介して前記一対のアーム部材が突出し回動可能なように配置したことを特徴とする請求項３に記載のミラーキャビネット。
【請求項６】
１又は２以上の棚を備え、該棚の端部は、前記収納ボックスにより支持されることを特徴とする請求項５に記載のミラーキャビネット。
【請求項７】
前記鏡面パネルは、上部に照明器具を備え、該照明器具の電気コードが、前記鏡面パネルと前記収納部との間に挟入することを防止する手段を備えることを特徴とする請求項１に記載のミラーキャビネット。
【請求項８】
前記鏡面パネルは、該鏡面パネルの開閉に連動して照射角度が変化する照明器具を備えることを特徴とする請求項１に記載のミラーキャビネット。
【請求項９】
前記照明器具は、光源、反射板及び照明器具本体を備え、該反射板の向きが前記鏡面パネルの開閉に連動して変化することにより照射角度を変えることを特徴とする請求項８に記載のミラーキャビネット。
【請求項１０】
前記照明器具の電気コードが、前記鏡面パネルと前記収納部との間に挟入することを防止する手段を備えることを特徴とする請求項８に記載のミラーキャビネット。
【請求項１１】
前記鏡面パネルは、開時において前記収納部中央に接近する端部の中央に、片手の操作で該鏡面パネルの開閉を行える把手を備えることを特徴とする請求項１に記載のミラーキャビネット。
【請求項１２】
前記把手は、把手端部を把持した開閉動作において、前記鏡面パネルに捩れが生じない範囲に長さを限定したことを特徴とする請求項１１に記載のミラーキャビネット。
【請求項１３】
手や顔を洗うための洗面ボウルと該洗面ボウルに給水する吐水手段と上記洗面ボウルから排水する排水手段とを備える洗面台と、該洗面台の後方上部に立設される請求項１〜請求項１２のいずれかに記載のミラーキャビネットとを備えることを特徴とする洗面化粧台。
【請求項１４】
壁面に立設される化粧鏡において、前面に鏡を備える鏡面パネルと、上記壁面と上記鏡面パネルとが成す角度を保持しつつ該鏡面パネルを所定の方向にスライドさせながら且つその前後方向に進退させて前記鏡面パネルを前記壁面に対して保持するように開閉方向に平行な両側面に設置された一対の保持機構とを備えることを特徴とする化粧鏡。
【発明の詳細な説明】
【技術分野】
【０００１】
本発明は、化粧鏡、ミラーキャビネット及び洗面化粧台に係り、特にミラーが所定方向にスライドしながら且つその前後方向に進退する化粧鏡、ミラーキャビネット及び洗面化粧台に関する。
【背景技術】
【０００２】
洗面化粧室には、洗面台の後方上部に、この洗面台とは独立して、或いは洗面台と一体となって洗面化粧台を構成して、単体の化粧鏡、或いはこの化粧鏡の背面に収納箱を備え化粧鏡と収納箱が一体となったミラーキャビネットが設置される。
【０００３】
この化粧鏡とその前に立つ使用者との間には、洗面ボウルが介在するので、ある程度距離があくのはやむを得ない。そのため、例えばアイシャドウをつけるとか髭を剃るとかいった正確さが必要な行為を行う場合、細部を見るために顔を化粧鏡に近づけるには、洗面ボウル越しに腰を曲げて窮屈な姿勢を採らなければならなかった。
【０００４】
この問題を解決すべく、化粧鏡を前後に進退自在に取付ける方法が種々提案されている。例えば、箱体に化粧鏡を片開き扉形式に軸支したミラーキャビネットを、その箱体ごと前方且つ下方へ移動させるものがある（例えば、特許文献１，２参照。）。しかしこの場合、前方且つ下方へ移動した状態では、化粧鏡の位置が低くなり、腰を落とす必要が生じるとともに、このミラーキャビネットが邪魔になって洗面台上の水栓の使用が困難ともなりかねない。また、箱体内の収納物を取り出すために化粧鏡を開くには、円弧状の広いスペースが必要なため使用者は身体をかわさなければならない。この場合更に、化粧鏡を開いた状態では、使用者は化粧鏡の裏側に位置することになり、自身の姿を映すことができないという問題もある。
【０００５】
また、この問題を解決するものとして、化粧鏡を前面に取り付けた抽斗様の箱体を形成し、その抽斗様の箱体を出し入れすることにより化粧鏡を前後に進退させるものもある（例えば、特許文献３，４参照。）。しかしこの場合、収納物を上から覗き込んで取り出すことになり、使い勝手が良いとは言えない。
【０００６】
更に、化粧鏡の一部のみ、又は化粧鏡とは別に補助鏡のみを前後に進退させるものも提案されているが（例えば、特許文献５，６参照。）、これでは鏡に映る部分がどうしても限られてしまい、自由な使用感が得られない。
【０００７】
また更に、化粧鏡をその幅方向にスライドしながら且つその前後方向にスイングして開閉するようにしたものも提案されている（例えば、特許文献７参照。）。しかし、この場合、下部に洗面台があるときは、使用者はそれを避けて、体を捻るようにして鏡を覗き込む必要があるという問題がある。
【特許文献１】特開平１０−２６２８４３号公報
【特許文献２】特開平１１−２４４１６６号公報
【特許文献３】実開昭６２−１６６７４６号公報
【特許文献４】実開平１−１５８７４４号公報
【特許文献５】実開昭６３−１１８４１号公報
【特許文献６】特開平５−４２０５４号公報
【特許文献７】実開平４−４８８３７号公報
【発明の開示】
【発明が解決しようとする課題】
【０００８】
本発明は、上述した事情を考慮してなされたもので、化粧鏡を使用者側へ近づけて使用することができる化粧鏡、ミラーキャビネット及び洗面化粧台を提供することを目的とするものである。
【０００９】
本発明の他の目的は、化粧鏡を使用者側へ近づけて使用することができ、且つ化粧鏡を使用中であっても容易に収納物を取り出せるミラーキャビネット及び洗面化粧台を提供することにある。
【課題を解決するための手段】
【００１０】
本発明に係るミラーキャビネットは、上述した課題を解決するために、請求項１に記載したように、前面に開口を備えた収納部と、前面に鏡を備える鏡面パネルと、上記収納部と上記鏡面パネルとが成す角度を保持しつつ該鏡面パネルを所定の方向にスライドさせながら且つその前後方向に進退させて前記鏡面パネルが前記収納部の開口を開閉するように該鏡面パネルを前記収納部に対して保持するように開閉方向に平行な両側面に設置された一対の保持機構とを備えるものである。
【００１１】
次に、上述した課題を解決するために、請求項２に係る保持機構は、前記鏡面パネルを、前記収納部に対して全開状態と全閉状態との間の任意の位置で駐止可能に保持するものである。
【００１２】
そして、上述した課題を解決するために、請求項３に係る保持機構は、収納部に固設された収納部側部材と、一端が夫々前記収納部側部材に枢結される一対のアーム部材と、これらアーム部材の他端が夫々枢結される鏡面パネル側部材とからなり、前記収納部側部材に対して前記アーム部材を揺動させ前記鏡面パネルを移動させる平行リンクと、一端が前記収納部の開方向の側部に固定されるとともに、他端が前記アーム部材の一方に固定され、前記鏡面パネルの開方向の移動を付勢し、且つ閉方向の移動を減勢する弾性体とを備えるものである。
【００１３】
また、上述した課題を解決するために、請求項５に係るミラーキャビネットは、前面にスリットを有し前記収納部側部材を収納可能な収納ボックスが前記収納部の側面に取り付けられ、前記鏡面パネルの開状態では該収納ボックスの前記スリットを介して前記一対のアーム部材が突出し回動可能なように配置したものである。
【００１４】
さらに、上述した課題を解決するために、請求項７に係る鏡面パネルは、上部に照明器具を備え、該照明器具の電気コードが、前記鏡面パネルと前記収納部との間に挟入することを防止する手段を備えるものである。
【００１５】
さらにまた、上述した課題を解決するために、請求項８に係る鏡面パネルは、該鏡面パネルの開閉に連動して照射角度が変化する照明器具を備えるものである。
【００１６】
さらに、上述した課題を解決するために、請求項１１に係る鏡面パネルは、開時において前記収納部中央に接近する端部の中央に、片手の操作で該鏡面パネルの開閉を行える把手を備えるものである。
【００１７】
また、上述した課題を解決するために、請求項１３に係る洗面化粧台は、手や顔を洗うための洗面ボウルと該洗面ボウルに給水する吐水手段と上記洗面ボウルから排水する排水手段とを備える洗面台と、該洗面台の後方上部に立設される請求項１〜請求項１１のいずれかに記載のミラーキャビネットとを備えるものである。
【００１８】
さらに、上述した課題を解決するために、請求項１４に係る化粧鏡は、壁面に立設される化粧鏡において、前面に鏡を備える鏡面パネルと、上記壁面と上記鏡面パネルとが成す角度を保持しつつ該鏡面パネルを所定の方向にスライドさせながら且つその前後方向に進退させて前記鏡面パネルを前記壁面に対して保持するように開閉方向に平行な両側面に設置された一対の保持機構とを備えるものである。
【発明の効果】
【００１９】
以上述べたように、本発明に係る化粧鏡、ミラーキャビネット及び洗面化粧台によれば、化粧鏡を使用者側へ近づけて使用することが可能となる。
【００２０】
また、本発明は、化粧鏡を使用者側へ近づけて使用することができ、且つ化粧鏡を使用中であっても容易に収納物を取り出すことができる効果が得られる。
【発明を実施するための最良の形態】
【００２１】
本発明に係るミラーキャビネットの実施の形態について、添付図面を参照して説明する。図１は、本発明に係るミラーキャビネット１の第１の実施形態の全体的な概要を示す正面図である。この実施形態に示されたミラーキャビネット１は、洗面化粧室で使用する小物類を収納する収納部１０と、使用者の姿を映すとともに収納部１０の扉の役目を果たす鏡面パネル２０と、この鏡面パネル２０を収納部１０に回動自在に保持する保持機構４０とを備える。
【００２２】
収納部１０は、この収納部１０が取り付けられる壁面３から区画する背板１１と、四周を囲う天板１２、底板１３及び２枚の側板１４，１４とで構成される箱体として形成され、その内部略中段には棚板１５が水平に配置される。これらの構成部材は、木、合成樹脂、金属等一定の強度を有する材料で形成され、相互にビスや接着剤等で固着される。或いは型に流し込んだり、プレス加工したりして一体に成形してもよい。また、棚板１５は本実施形態に示すように１段のみであっても、２段以上あってもよく、或いは高さを可変としてもよい。
【００２３】
鏡面パネル２０は、使用者の姿を映し出す鏡２１と、鏡２１の裏側四周に配設されるフレーム２２と、フレーム２２の内側に貼着され鏡の曇りを防止する曇り止めヒータ２３とを備え、鏡の表側下部に鏡面パネル２０の開閉に使用される把手２６と、上部に使用者を照らす照明器具３０とを備える。
【００２４】
フレーム２２は、鏡が捩れて破損するのを防止するとともに保持機構４０の鏡面パネル２０側の取付部材が取り付けられる。フレーム２２は木、合成樹脂、又は金属等の中空または質実な棒状の材料で形成される。フレーム２２下部には金属性等のアングル部材２４が固着され、このアングル部材上に鏡が載置される。
【００２５】
また、アングル部材２４の前面には、その水平方向中央に、この鏡面パネル２０を開閉するために使用者が押したり引いたりする把手２６が取り付けられる。この把手２６は、水平方向に略Ｕ字型に形成される。この把手２６は中央に設けられるので、右利き左利きに関らず使い勝手が良い。この点、従来のミラーキャビネットにおける片開き式の扉ではその扉が正面の左右どちらに設置されるか、右開きか左開きかにより、右利き左利きのいずれかには使い勝手がよくないという難点があった。なお、把手２６は、アングル部材２４の下面に形成されてもよく、略Ｕ字型に限られない。
【００２６】
また、把手２６の幅は、最小片手が入る幅があればよい。逆にこの幅が大きすぎる場合、例えば左端から右端にまで亘る長さを有する場合、鏡面パネル２０を開くために把手２６の一方の端部を持って引っ張ると、そちら側の保持機構４０に引っ張る力が集中し、左右不均衡に引っ張られるため、保持機構４０に障害が生じたり、鏡面パネル２０が捩れて破損したりする虞がある。したがって、把手２６の幅は、大きな手でも余裕をもって握れる程度、好ましくはおよそ２０ｃｍあればよい。そして、この程度の幅が確保できるものであれば、Ｕ字型でなくてもよい。
【００２７】
鏡面パネル２０上部にも金属性等のアングル部材２５が固着され、このアングル部材２５により鏡の前倒が防止される。そして、このアングル部材２５に照明器具３０が取り付けられる。照明器具３０は、図２に示すように、整流器等から成る器具本体３１と、光を発する光源３２と、発せられた光を有効に使用者の方へ向ける反射板３３とを備える。照明器具３０を点灯・消灯するスイッチ（図示せず）は、鏡面パネル２０側にあっても収納部１０側に設けられてもよい。なお、光源３２として、ここでは直管蛍光灯が示されているが、これに限らず、１又は２以上の電球形蛍光灯を採用してもよく、反射板３３を備えない構成としてもよい。
【００２８】
反射板３３は、本実施形態では、後述するように、ミラーキャビネット１の開閉に連動してその角度が変化する可動型のものであり、その角度の変化に応じて照射角度、照射位置が変わるようになっている。角度が変化しない固定型としてもよい。
【００２９】
ところで、ミラーキャビネットの照明器具３０は、通常収納部１０上部に固設されている。しかし、本願発明の場合に収納部１０に照明器具３０を設置すると、鏡面パネル２０が上方へスライドするときに、照明器具３０と使用者との間に鏡面パネル２０が介在することとなり（図２参照。）、使用者が照明に照らされないという問題が発生する。本願発明は、照明器具３０を鏡面パネル２０に取り付けることによりこの問題を解決するものである。
【００３０】
照明器具３０に電力を供給する電気コード３４は、収納部１０の天板１２上に設けられたコード固定具４に接続される。電気コード３４は、鏡面パネル２０を全開時から下ろしていくと通常の電線コードでは垂れ下がり、鏡面パネル２０背面と収納部１０前面との間に挟まれる問題があるため、カールコードが用いられる。このカールコードに替えて、略Ｚ字状に折れ曲がるバネ様の補助手段を用いてもよい。
【００３１】
次に、この鏡面パネル２０を収納部１０に対して開閉自在に保持する保持機構４０の詳細について図２乃至図４を参照して説明する。図２は鏡面パネル２０を開いた場合の保持機構４０を図１におけるＸ−Ｘ方向から見た図であり、図３は、鏡面パネル２０を閉じた場合の保持機構４０を図１におけるＸ−Ｘ方向から見た図である。また、図４は正面、すなわち鏡面パネル２０側から保持機構４０を見た図である（鏡面パネル２０自体の図示は省略する）。
【００３２】
この保持機構４０は、鏡面パネル２０を垂直に保持まま揺動させる平行リンク５０と、この揺動を付勢したり減勢したりするコイルバネ６０とを備える。平行リンク５０は鏡面パネル２０の重量を支持可能な強度が必要であり、金属製が望ましい。
【００３３】
平行リンク５０は、収納部１０に固設された収納部側部材５１と、一端が夫々前記収納部側部材５１に枢結される一対のアーム部材５３，５４と、これらアーム部材５３，５４の他端が夫々枢結される鏡面パネル側部材５２とから構成される。
【００３４】
収納部側部材５１は、所定の位置にアーム部材５３，５４を枢結するために円筒状の凸部５１ａ，５１ａを有する板材であり、収納部１０の側板１４の棚板１５より上の部分にビス止め等により固定される。また、その頂部は直角に折り曲げられて天板１２下面に当接し、コイルバネ６０の端部を取り付けるための取付け部が設けられる。さらに、側板１４に接する部分の上部には、上側アーム部材５３が天板１２に衝突することを防止するストッパ５６が設けられる。
【００３５】
鏡面パネル側部材５２は、アングル状に形成され、その一面は鏡面パネル２０裏面に存するフレーム２２の縦材下部にビス止め等により固定される。アングルの他面には、所定の位置にアーム部材５３，５４を枢結するための凸部５２ａ，５２ａが凸設される。この凸部５２ａも円筒状に形成される。
【００３６】
一対のアーム部材５３，５４の内、上側にある上側アーム部材５３は、両端に収納部側部材５１及び鏡面パネル側部材５２に枢結するための孔５３ａ，５３ｂを有する稲妻状の板材に形成される。このように形成されることにより、図２に示すように、直線状に形成される場合よりも鏡面パネル２０を高い位置まで持ち上げることができる。
【００３７】
また、上側アーム部材５３は、平板に形成されると、図３に示すように、閉時において下側アーム部材５４と交差する。これを回避するため、図４に示すように、鏡面パネル側部材５２近傍において略Ｚ字状に折り曲げられている。
【００３８】
上側アーム部材５３の中間鏡面パネル２０寄りにはビス孔が窄設されており、左右２本の上側アーム部材５３間に連結棒５５が挿入され、上側アーム部材５３のビス孔を介してビス止めされる。これにより、左右の保持機構４０がより確実に連動し、開閉時における鏡面パネル２０の捩れが低減され、よりスムーズに開閉を行うことが可能となる。
【００３９】
下側アーム部材５４は、両端に収納部側部材５１及び鏡面パネル側部材５２に枢結するための孔５４ａ，５４ｂを有する板材である。収納部側部材５１の端部は幅広に形成され、コイルバネ６０の一端を取り付けるためのアングルピースが回動自在に枢結される。
【００４０】
一対のアーム部材５３，５４の孔は、収納部側部材５１及び鏡面パネル側部材５２の凸部５１ａ，５２ａに嵌挿され、回動自在に枢結される。凸部５１ａ，５２ａは、アーム部材５３，５４嵌挿後、その円筒に螺合する雄ねじが螺設されアーム部材５３，５４は凸部５１ａ，５２ａと雄ねじとに押圧挟持される。これにより、アーム部材５３，５４は、収納部側部材及び鏡面パネル側部材５２に対して適度な摩擦力を持って回動するので、鏡面パネル２０が開状態であって、収納部１０より上部にあるときであっても、この摩擦力により、下すなわち閉状態へとずり落ちることはない。したがって、使用者は、好みの位置に鏡面パネル２０を留めて使用することが可能となる。
【００４１】
上下のアーム部材５３，５４は形状が異なるが、その実効長、すなわち、孔５３ａと孔５３ｂ，孔５４ａと孔５４ｂとの距離は同一である。また、収納部側部材５１の２つの凸部５１ａ，５１ａ間の距離と、鏡面パネル側部材５２の２つの凸部５２ａ，５２ａ間の距離も同一である。したがって、収納部側部材５１及び鏡面パネル側部材５２とアーム部材５３，５４との四つの枢結部を線で結ぶと、平行四辺形となるような長さに設定される。これにより、鏡面パネル２０の位置が変わっても、収納部１０と鏡面パネル２０とは平行を保つので、鏡面パネル２０は収納部１０に対して垂直を保持したまま上下方向に揺動可能となり、使用者は、鏡面パネル２０がどの位置にあるときでも、鏡を使用することができる。
【００４２】
コイルバネ６０は、その一端は収納部側部材５１の天板１２の下面に当接する部分に固定され、他端は下側アーム部材５４の収納部側部材５１近傍に回動自在に取り付けられたアングルピースに取り付けられる。このように、コイルバネ６０は下側アーム部材５４の収納部側部材５１近傍に取り付けられるので、開時においてもコイルバネ６０が収納部１０から突出せず、美観を損ねなることはない。
【００４３】
コイルバネ６０は、天板１２の下面から垂下して設けられているので、図２に示すように、全開時に鏡面パネル２０が最も高い位置に来る場合にその長さが最も短くなり、逆に、図３に示すように、閉時において鏡面パネル２０が最も低い位置にある場合に、最も長くなる。すなわち、全開時においては、コイルバネ６０は自然状態にあって付勢力は働かず、閉時において、鏡面パネル２０を上方へ引っ張る付勢力が最大となる。このコイルバネ６０に替えて、弾性体であれば、例えばゴム等を用いて付勢力を与える構成とすることも可能である。
【００４４】
収納部１０の中程の高さには棚板１５が横設され、この棚板１５は、図５に示すように、その左右端部の収納部１０前面側に、切込み１６が設けられている。保持機構４０の上下アーム部材５３，５４は、回動動作の過程で、切込み１６を上下に通過することができる。これにより、閉時において鏡面パネル２０の裏面が収納部１０の前面に当接するまで鏡面パネル２０を下げることができ、収納部１０を密閉することが可能となる。この切込み１６の幅及び奥行きは、上下アーム部材５３，５４のサイズに合せて最小限とすることができる。また、この棚板１５は、背板１１及び／又は底板１３により支持される構成とし、両端部全長を側板１４から一定の距離を置いて離隔させて、アーム部材５３，５４が回動しても当たらないようにしてもよい。
【００４５】
以上説明したように、保持機構４０は収納部１０内に収められており、閉時には外部からは見えないので、美観を損ねることはなく、また、指を挟む等の危険も低減される。
【００４６】
本実施の形態に係るミラーキャビネット１は上記のように構成されており、以下その開閉動作について説明する。
【００４７】
まず、閉じた状態の鏡面パネル２０を開く場合は、鏡面パネル２０下部に設けられた把手２６に手をかけて手前上方にこれを引く。閉時においては、コイルバネ６０は最も伸びた状態にあり、その引張力は最大であるが、鏡面パネル２０の自重と、上下のアーム部材５３，５４と収納部側部材５１及び鏡面パネル側部材５２との枢結部の静摩擦力により、上部へ持ち上がることなく静止している。
【００４８】
そこへ、コイルバネ６０が縮む方向へと力が加えられると、静摩擦力が動摩擦力と変わってその力が減少する。すると、コイルバネ６０の収縮力と摩擦力及び自重との均衡が破れてコイルバネ６０の収縮力が勝り、鏡面パネル２０は持ち上がる方向に付勢される。これにより、鏡面パネル２０の自重に比して小さな力で持ち上げることができ、使用者の負担となることはない。
【００４９】
また、把手２６は、左右の真ん中に設けられているので、右利き、左利きの別を問わず違和感なく使用することができる。この目的のためには、把手２６を鏡面パネル２０の幅一杯の長さとすることも考えられる。しかしながら、この場合、把手２６の左右の一方の端を持って引き上げようとすると、鏡面パネル２０の面内に捩りモーメントがかかり、フレーム２２に大きな応力が発生する虞がある。また、把持された端部側の平行リンク５０と反対側の平行リンク５０との動きにズレが生じ、開閉がスムーズにいかない虞もある。したがって、把手２６の長さは、片手で握れる幅程度に抑えることが肝要であり、鏡面パネル２０の大きさにも依るが、およそ２０ｃｍにすることが好ましい。
【００５０】
こうして、鏡面パネル２０が所望の位置に届いたときに、手の動きを止めれば鏡面パネル２０をその位置で止めることができる。この位置では、コイルバネ６０の長さは閉時よりも短いため、収縮力も閉時より弱く、静摩擦力が勝るので、この位置からずれて落ちることはない。これにより、使用者は、各人の身長や距離感から所望の位置に鏡面パネル２０を静止させて使用することができ、細部を見るために腰を折り曲げなくても、顔を化粧鏡に近づけることができる。また、この状態で、すなわち鏡に自分の姿を映した状態で、収納部１０に収められた収納物を容易に出し入れすることが可能となる。
【００５１】
更に鏡面パネル２０を持ち上げて、上側アーム部材５３がストッパ５６に当接すると、鏡面パネル２０は全開状態となり、上部アーム部材５３が収納部１０天板１２に衝突して傷つけることはない。
【００５２】
このように、鏡面パネル２０が開状態にあるときは、アーム部材５３，５４と収納部側部材５１及び鏡面パネル側部材５２との枢結部の静摩擦力により鏡面パネル２０の自重に抗して駐止している。そこへ、鏡面パネル２０下部に設けられた把手２６に手をかけて下方に押し下げる方向へ力が加えられると、静摩擦力が動摩擦力と変わってその力が減少し、押し下げる力と自重が勝って下方へと移動する。この動きは、コイルバネ６０の収縮力により減勢されるため、鏡面パネル２０は急速にではなく下方へ移動し、また、大きな力をかける必要もない。特に閉位置ではコイルバネ６０の収縮力が最大となるので、収納部１０に激突することなく、ゆっくりと当接し、ミラーキャビネット１は静かに閉じられる。
【００５３】
次に、このミラーキャビネット１の開閉に連動する照明器具３０の、本実施形態において可動型に構成された反射板３３の動きについて説明する。図６は、ミラーキャビネット１の開閉、すなわち鏡面パネル２０の上下動とこの鏡面パネル２０の使用者との位置関係を示すものである。
【００５４】
鏡面パネル２０が閉状態（図６における（イ））にあるときは、鏡面パネル２０と使用者との間にはある程度の距離があるため、照明器具３０もある程度前方を照射する必要がある。これに対し、鏡面パネル２０が全開状態（図６における（ロ））にあるときは、使用者は照明器具３０の前方というよりは、むしろ下方に位置することになり、したがって、下方を照射する必要がある。そして、閉状態と全開状態との中間（例えば、図６における（ハ））にあるときは、前方と下方との中間を照射できることが効率的にも望ましい。
【００５５】
そこで、本発明では、図６に示すように、反射板３３の一部の位置が鏡面パネル２０の位置に連動して角度を変えるように構成する。すなわち、鏡面パネル２０が閉状態（図６における（イ））にあるときは、反射板３３は前方へ開いており、鏡面パネル２０が開いていくに従って下方へ閉じていくように構成する。この構成は、例えば、保持機構４０のアーム部材５３，５４と反射板３３とをワイヤや滑車等を用いて機械的に連結するものであってもよいし、或いは電磁気的に可動とするものであってもよい。これにより、使用者は、最適な状態で照明を受けることができる。
【００５６】
本実施形態では、照射角度を変える方法として、反射板３３の前面の角度を変える方法を用いて説明したが、図７に示すように、円弧状の反射板３３全体を鏡面パネル２０の動きに連動して回動するようにしてもよい。
【００５７】
このように、照明器具３０を回動する鏡面パネル２０に設置すると、図２及び図３に示したように、鏡面パネル２０が全開状態では、閉状態と比べて、収納部１０上面に設けられたコード固定具４と照明器具３０との距離が大きくなる。したがって、電線コード３４の長さは、最低限全開時における照明器具３０とコード固定具４との距離を確保することが必要である。
【００５８】
ところが、この全開時から鏡面パネル２０を下ろしてゆくと、通常の電線コードでは、弛んで垂れ下がり、鏡面パネル２０背面と収納部１０前面との間に挟まれ、この挟まれた電線コード３４により鏡面パネル２０が完全に閉じないということも想定される。
【００５９】
そこで、この電線コード３４は伸縮可能とすることが望ましく、例えば、カールコードを用いることが考えられる。或いは、略Ｚ字状に折れ曲がるバネ様の補助手段や、中間に自動巻き取り式のリールを介在させることも可能である。
【００６０】
なお、本実施形態においては、鏡面パネル２０が上側に開く場合を例に取り説明したが、右側或いは左側に開くように構成することも可能である。
【００６１】
続いて、この第１の実施形態の一変形例について説明する。この変形例に係るミラーキャビネット１Ａは、図８に示すように、保持機構４０が収納ボックス６１で囲われている点で、第１の実施形態におけるものと基本的に相違し、他の構成は第１の実施形態と実質的に同じであり、同じ符号を付して説明を省略する。
【００６２】
第１の実施形態に係るミラーキャビネット１のように、保持機構４０が露出していると、開時に収納部１０の下段に収納された物が何らかの衝撃により保持機構４０の平行リンク５０側に倒れると、それが障害となって下側アーム部材５４が下がらず、鏡面パネル２０を閉じることができないことも生じ得る。この場合は鏡面パネル２０と収納部１０との間に開いた隙間から手を差し伸べてこの収納物を除去する必要がある。
【００６３】
これとは逆に、閉時に収納部１０の上段の収納物が何らかの衝撃により保持機構４０の平行リンク５０側に倒れ、上側アーム部材５３と収納部１０の天板１２との間に挟まれると、それが障害となって鏡面パネル２０を開くことができないことも予想される。この場合は、手を入れることもできないので、この障害物を取り除くことはかなり困難となる。
【００６４】
そこで、図８に示すように、この保持機構４０を囲う収納ボックス６１を設置する。この収納ボックス６１は、前面及び側面から成る略Ｌ字型に形成され、前面には縦に長いスリット６２が設けられる。前面及び側面は、隙間が生じないように、天板１２下面から底板１３上面に至る高さを有し、夫々収納部１０の側板１４及び背板１１に当接される。この収納ボックス６１は、保持機構４０の点検修理等のために、例えば収納部１０側面や上下面からビス止めする等、取り外し可能に定着されることが望ましい。
【００６５】
収納ボックス６１の前面に設けられたスリット６２からは、上下のアーム部材５３，５４が突出し、平行リンク５０の上下動が可能なようになっている。このスリット６２は、アーム部材５３，５４の上下動を可能とする最小限の隙間があればよい。従って、本変形例で示すような直線状のスリット６２ではなく、上側アーム部材５３の回動の尖端付近の折れ曲がり部が通過する部分のみ幅の広いスリット６２とすることも可能である。
【００６６】
最後に、本発明に係る洗面化粧台の実施の形態について、図を参照して説明する。図９は、本発明に係る洗面化粧台２の一例の概略を示す側面図である。
【００６７】
洗面化粧台２は、手や顔を洗うための洗面ボウル７１と洗面ボウル７１に給水する吐水手段７２と洗面ボウル７１から排水する排水手段７３とを備える洗面台７０と、洗面台７０の後方上部に立設されるミラーキャビネット１Ｂと、そのミラーキャビネット１Ｂの更に上に取り付けられるウォールキャビネット（天袋）８０とを備える。
【００６８】
本実施形態に係るミラーキャビネット１Ｂは、図９に示すように、鏡面パネル２０が、上に位置する固定部２０ａと下に位置する可動部２０ｂとに分かれている点で、第１の実施形態におけるものと基本的に相違し、他の構成は第１の実施形態と実質的に同じであり、同じ符号を付して説明を省略する。
【００６９】
本実施形態における場合のように、ミラーキャビネットの上に、前方に突出したウォールキャビネット８０が備えられると、１枚の鏡面パネル２０でミラーキャビネット全面を覆う構成では、ウォールキャビネット８０が障害となって、鏡面パネル２０を殆ど持ち上げられないか、十分な高さまで持ち上げることができない。したがって、使用者は細部を見るために顔を化粧鏡に近づけることができず、また、鏡面パネル２０の背面を収納部１０として利用することもできなくなる。
【００７０】
そこで、本実施形態に係るミラーキャビネット１Ｂは、鏡面パネル２０を上下に分割し、下部の鏡面パネル２０のみを、第１の実施形態に係る鏡面パネル２０と同様に可動とし、上部の鏡面パネル２０は固定として、この問題の解決を図ったものである。
【００７１】
この場合、鏡の高さが第１の実施形態に係るものに比べて半分程度となるため、閉時においては、使用者の身長によっては、顔の真ん中で切れる可能性がある。それでも、可動部２０ｂの鏡の絶対的な高さは十分あり、下半分の可動部２０ｂを上下する事により、身長に合わせた位置に鏡を止めて使用すれば、このような状態は生じない。
【００７２】
また、上半分の固定部２０ａも、下半分の可動部２０ｂとは逆に、下方に回動可能とすることや、通常行われるようなミラーキャビネットの側板１４に軸支される片開き式或いは両開き式の鏡面パネルとすることもできる。この場合、ミラーキャビネット１Ｂの上半分も収納部として利用することが可能となる。
【００７３】
更に、本実施形態では、照明器具３０を鏡面パネル２０の上半分の固定部に設置した例を示しているが、ウォールキャビネット８０底部の前方や、鏡面パネル２０の下半分の固定部２０ｂに設置することも可能である。これにより、照明が鏡面パネル２０の可動部２０ｂにより遮られる領域を低減することも可能となる。
【００７４】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。例えば、鏡面パネルの背面に収納部を設けない化粧鏡として構成することも本発明の範囲に含まれる。
【図面の簡単な説明】
【００７５】
【図１】本発明に係るミラーキャビネットの実施形態の概要を示す正面図。
【図２】保持機構が開状態にある場合における、図１のＸ−Ｘ方向矢視図。
【図３】保持機構が閉状態にある場合における、図１のＸ−Ｘ方向矢視図。
【図４】保持機構が開状態にある場合の正面図。
【図５】収納部の棚板端部の平面図。
【図６】鏡面パネルの上下動と鏡面パネル使用者との位置関係を説明する図。
【図７】反射板の変形例を示す図。
【図８】第１の実施形態の変形例に係る保持機構の収納ボックスを示す斜視図。
【図９】本発明に係る洗面化粧台の実施形態の概要を示す図。
【符号の説明】
【００７６】
１，１Ａ，１Ｂ  ミラーキャビネット
２  洗面化粧台
３  壁面
４  コード固定具
１０  収納部
１１  背板
１２  天板
１３  底板
１４  側板
１５  棚板
１６  切込み
２０  鏡面パネル
２０ａ  固定部
２０ｂ  可動部
２１  鏡
２２  フレーム
２３  曇り止めヒータ
２４,２５  アングル部材
２６  把手
３０  照明器具
３１  器具本体
３２  光源
３３  反射板
３４  電線コード
４０  保持機構
５０  平行リンク
５１  収納部側部材
５１ａ，５２ａ  凸部
５１ｂ  アングルピース
５２  鏡面パネル側部材
５３  上側アーム部材
５３ａ，５３ｂ，５４ａ，５４ｂ  孔
５４  下側アーム部材
５５  連結棒
５６  ストッパ
６０  コイルバネ
６１  収納ボックス
６２  スリット
７０  洗面台
７１  洗面ボウル
７２  吐水手段
７３  排水手段
８０  ウォールキャビネット
【図１】
2005103049.tif 000003
【図２】
2005103049.tif 000004
【図３】
2005103049.tif 000005
【図４】
2005103049.tif 000006
【図５】
2005103049.tif 000007
【図６】
2005103049.tif 000008
【図７】
2005103049.tif 000009
【図８】
2005103049.tif 000010
【図９】
2005103049.tif 000011